(57)【要約】      （修正有）【課題】背中などを洗うときに、薄い布地のタオル地を使って肌と接触したときの肌触りの感触を豊かにし、押圧感（コシ）、摩擦効果を察知するために、布地の表面に凹凸を増やしたタオルを提供する。【解決手段】長方形状の布地２ａ、２ｂにおいて、長手方向に直角方向（上下方向）に布地をＳ字状に折り畳んで布地の両面に折り山を形成し、折り重なった部分のほぼ中心を上下方向にギャザーをよせ、または細めの帯状の布地６を挟んでギャザーをよせ（又は弾性体を入れて）縫い合わせて、前記折り山が布地の両面にフリル状の襞５を布地の長手方向に近接して又は適宜間隔をあけて複数個所設けた。【選択図】図４
2012152528.tif 000002
【特許請求の範囲】
【請求項１】
長方形状の布地において、長手方向に直角方向（上下方向）に布地をＳ字状に折り畳んで布地の両面に折り山を形成し、折り重なった部分のほぼ中心を上下方向にギャザーをよせ、または細めの帯状の布地を挟んでギャザーをよせ（又は弾性体を入れて）縫い合わせて、上記折り山が布地の両面にフリル状の襞を布地の長手方向に近接して又は適宜間隔をあけて複数個所設けたことを特徴とするタオル。
【請求項２】
長方形状の布地において、長手方向に直角方向（上下方向）に布地をＳ字状に折り畳んで布地の両面に折り山を形成し、上記襞に近接して、布地をＳ字状に折り畳んで布地の両面に折り山を形成し、上記襞の表襞と近接して折り畳んだ前記襞の陰襞のほぼ中心を上下方向に縫い合わせて、または細めの帯状の布地を挟んで縫い合わせて、複数の折り山が布地の両面に複数の襞を布地の長手方向に近接して又は適宜間隔をあけて複数個所設けたことを特徴とするタオル。
【請求項３】
長方形状の布地において、長手方向に直角方向（上下方向）に布地をＳ字状に折り畳んで布地の両面に折り山を形成し、上記襞に近接して、布地をＳ字状に折り畳んで布地の両面に折り山を形成し、上記襞の表襞と近接して折り畳んだ前記襞の陰襞のほぼ中心を上下方向にギャザーをよせ、または細めの帯状の布地を挟んでギャザーをよせ（又は弾性体を入れて）縫い合わせて、複数の折り山が布地の両面にフリル状の襞を布地の長手方向に近接して又は適宜間隔をあけて複数個所設けたことを特徴とする請求項１及び２記載のタオル。
【発明の詳細な説明】
【技術分野】
【０００１】  本発明は、布地の両面に襞を設けた浴用タオルに関する。
【背景技術】
【０００２】  従来、浴用タオルには、筋状のヒダを複数個設けたヒダ付浴用タオル（特許文献１参照）、多重の襞を複数個形成したタオル（特許文献２参照）が開示されている。しかし、特許文献１及び特許文献２記載のタオルは薄い布地の場合は肌に接触したときの押圧感（コシ）に乏しいという点において問題があった。【０００３】
【特許文献１】特開２００２−２６３０２９号公報
【特許文献２】特開２０００−３２５２５５号公報
【発明の開示】
【発明が解決しようとする課題】
【０００４】  一般に従来のタオルを使って背中などを洗うときに、タオルが肌に接触する感触によって、押圧感（コシ）、摩擦効果がわかるのであるが、泡立ちのよい厚い布地は種類が少なく、薄い布地の場合は肌と接触する感触に欠ける点があった。本発明の課題は、薄い布地のタオル地を使って肌と接触したときの肌触りの感触を豊かにし、押圧感（コシ）、摩擦効果を察知するために、表面に凹凸を増やしたタオルを提供することにある。
【課題を解決するための手段】
【０００５】  前記の課題を解決するために、本発明は、長方形状の布地において、長手方向に直角方向（上下方向）に布地をＳ字状に折り畳んで布地の両面に折り山を形成し、折り重なった部分のほぼ中心を上下方向にギャザーをよせ、または細めの帯状の布地を挟んでギャザーをよせ（又は弾性体を入れて）縫い合わせて、上記折り山が布地の両面にフリル状の襞を布地の長手方向に近接して又は適宜間隔をあけて複数個所設けたことを特徴とするタオルとする（請求項１）。【０００６】  また、前記の課題を解決するために、本発明は、長方形状の布地において、長手方向に直角方向（上下方向）に布地をＳ字状に折り畳んで布地の両面に折り山を形成し、上記襞に近接して、布地をＳ字状に折り畳んで布地の両面に折り山を形成し、上記襞の表襞と近接して折り畳んだ前記襞の陰襞のほぼ中心を上下方向に縫い合わせて、または細めの帯状の布地を挟んで縫い合わせて、複数の折り山が布地の両面に複数の襞を布地の長手方向に近接して又は適宜間隔をあけて複数個所設けたことを特徴とするタオルとすることが好ましい（請求項２）。【０００７】  また、前記の課題を解決するために、本発明は、長方形状の布地において、長手方向に直角方向（上下方向）に布地をＳ字状に折り畳んで布地の両面に折り山を形成し、上記襞に近接して、布地をＳ字状に折り畳んで布地の両面に折り山を形成し、上記襞の表襞と近接して折り畳んだ前記襞の陰襞のほぼ中心を上下方向にギャザーをよせ、または細めの帯状の布地を挟んでギャザーをよせ（又は弾性体を入れて）縫い合わせて、複数の折り山が布地の両面にフリル状の襞を布地の長手方向に近接して又は適宜間隔をあけて複数個所設けたことを特徴とする請求項１及び２記載のタオルとすることが好ましい（請求項３）。
【発明の効果】
【０００８】  本発明のタオルは、前記のように構成され、使用時に布地を長手方向に引っ張ると襞の折り山が長手方向に対して反対方向に押し付けられるときに、表襞とその根元の細めの帯状の布地又は弾性体が立ち上がるので、抵抗があり、薄い布地でも襞の腰が強く肌を押し付ける感触が得られ、押圧感（コシ）、摩擦感があり、洗い心地がよい。また、凹凸が多いので繰り返し左右に引っ張ることで摩擦効果を高め、泡立ちが増す効果がある。
【発明を実施するための最良の形態】
【０００９】  次に、本発明を実施するための最良の形態（以下「本発明の実施の形態」）について図面を参照しながら説明する。【００１０】  本発明の実施の形態に係るタオルは、長方形状の布地２，２ａ，２ｂにおいて、長手方向に直角方向（上下方向）に布地をＳ字状に折り畳んで布地の両面に折り山３を形成し、折り重なった部分のほぼ中心を上下方向にギャザー４ａをよせ、または細めの帯状の布地６を挟んでギャザーをよせ（又は弾性体６を入れて）縫い合わせて、上記折り山３が布地の両面にフリル状の襞を布地の長手方向に近接して又は適宜間隔をあけて複数個所設けたことを特徴とするタオルである。本発明の実施の形態に係るタオルの布地は、例えば薄めのナイロン地や薄めのナイロンに綿の混紡、薄めのナイロンに絹の混紡、厚めのナイロン繊維のパイル織りなどのメッシュ地からなる編織物を使用しているが、これに限定するものではなく、通常浴用タオルなどとして市販されているその他の合成繊維糸や天然繊維糸のラッシェル編みやパイル織りなどのメッシュ地からなる編織物を用いることができる。【００１１】  図１は、長方形状の布地２，２ａ，２ｂにおいて、長手方向に直角方向（上下方向）に布地をＳ字状に折り畳んで布地の両面に折り山３を形成し、（ａ）は、折り重なった部分のほぼ中心を上下方向にギャザー４ａをよせ、または（ｂ），（ｃ）の細めの帯状の布地６は、例えば、ナイロンやポリウレタンなどの合成繊維や天然繊維の布地やテープ、不織布、細めの帯状のタオルのとも布などの布地を挟んでギャザーをよせ（又は弾性体６はゴムひものように伸縮する材質のものを入れて）縫い合わせて、上記折り山３が布地の両面にフリル状の襞を形成する例を示す。（ｃ）は、長方形状の布地２ａの右下に布地２ｂを交差して中心をステッチ４して縫い代を接ぎ、長手方向に直角方向（上下方向）に布地をＳ字状に折り畳んで布地の両面に折り山３を形成した場合の細めの帯状の布地６（又は弾性体６）の位置を示す。【００１２】  図２（ａ），（ｂ），（ｃ），図３，図４は、布地に襞を近接して形成する例を示すもので、図２（ａ）は、長方形状の布地２において、長手方向に直角方向（上下方向）に布地をＳ字状に折り畳んで布地の両面に折り山３ａ，３ｂを形成し、上記襞に近接して、布地をＳ字状に折り畳んで布地の両面に折り山３ｃ，３ｄを形成し、上記襞の表襞３ａと近接して折り畳んだ前記襞の陰襞３ｄのほぼ中心を上下方向に縫い合わせて４ｂ、（ｂ）は、長方形状の布地２ａ，２ｂにおいて、長手方向に直角方向（上下方向）に布地をＳ字状に折り畳んで布地の両面に折り山３ｅ，３ｆを形成し、上記襞に近接して、布地をＳ字状に折り畳んで布地の布地の両面に折り山３ｇ，３ｈを形成し、上記襞の表襞３ｅと近接して折り畳んだ前記襞の陰襞３ｈのほぼ中心を上下方向に縫い合わせて４ｂ、または細めの帯状の布地６（弾性体も含む）を挟んで縫い合わせて４ｂ、（ｃ）のように、複数の折り山が布地の両面に複数の襞を布地の長手方向に近接して又は適宜間隔をあけて複数個所設けることもできることを特徴とするタオルである。【００１３】  図３は、本発明の正面図であって、長方形状の布地２ａにおいて、長手方向に直角方向（上下方向）に布地��Ｓ字状に折り畳んで布地の両面に折り山３ａ，３ｂを形成し、上記襞に近接して、布地をＳ字状に折り畳んで布地の両面に折り山３ｃ，３ｄを形成し、上記襞の表襞３ａと近接して折り畳んだ前記襞の陰襞３ｄのほぼ中心を上下方向にギャザー４ｂをよせ、または細めの帯状の布地６を挟んでギャザーをよせ（又は弾性体６を入れて）縫い合わせて、また、長手方向に近接して又は適宜間隔をあけて直角方向（上下方向）に布地をＳ字状に折り畳んで布地の両面に折り山３ｅ，３ｆを形成し、上記襞に近接して、布地をＳ字状に折り畳んで布地の両面に折り山３ｇ，３ｈを形成し、上記襞の表襞３ｅと近接して折り畳んだ前記襞の陰襞３ｈのほぼ中心を上下方向にギャザー４ｃをよせ、または細めの帯状の布地６を挟んでキャザーをよせ（又は弾性体６を入れて）縫い合わせて、また、長手方向に近接して又は適宜間隔をあけて直角方向（上下方向）に布地をＳ字状に折り畳んで布地の両面に折り山３ｉ，３ｊを形成し、上記襞に近接して、布地をＳ字状に折り畳んで布地の両面に折り山３ｋ，３ｌを形成し、上記襞の表襞３ｉと近接して折り畳んだ前記襞の陰襞３ｌのほぼ中心を上下方向にギャザー４ｄをよせ、または細めの帯状の布地６を挟んでギャザーをよせ（又は弾性体６を入れて）縫い合わせて、複数の折り山（３ａ，３ｂ）（３ｃ，３ｄ），（３ｅ，３ｆ）（３ｇ，３ｈ），（３ｉ，３ｊ）（３ｋ，３ｌ）が布地の両面にフリル状の襞を布地の長手方向に近接して又は適宜間隔をあけて複数個所形成した例を示す。
何箇所に襞を設けるかは布の大きさ、好み、布の厚みや硬さ、材質、泡立ちの具合によって選択することができる。
正面図に示すように、複数の折り山が布地の両面にフリル状の襞を布地の長手方向に近接して又は適宜間隔をあけて複数個所設けたことを特徴とするタオルである【００１４】    図４は、長方形状の布地２ａ，２ｂにおいて、長手方向に直角方向（上下方向）に布地をＳ字状に折り畳んで布地の両面に折り山３ａ，３ｂを形成し、上記襞に近接して、布地をＳ字状に折り畳んで布地の両面に折り山３ｃ，３ｄを形成し、上記襞の表襞３ａと近接して折り畳んだ前記襞の陰襞３ｄのほぼ中心を上下方向に（厚めの布地の場合はそのまま）キャザーをよせ、または（薄地の布地の場合は）細めの帯状の布地を挟んでギャザーをよせ（又は弾性体を入れて）縫い合わせて、複数の折り山が布地の両面にフリル状の襞を布地の長手方向に近接して又は適宜間隔をあけて複数個所形成した例を示す。図５は、襞数を少なくした図である。このようにすることもできる。
この図に示すように、襞を形成した布地を肌に接し長手方向に引っ張ると、例へば、複数の襞の折り山３ｃ，３ｇ，３ｋが長手方向に対して反対方向に押し付けられるときに、表襞３ａ，３ｅ，３ｉとその根元の細めの帯状の布地６又は弾性体６が立ち上がるので、抵抗があり、襞の腰が強く肌を押し付ける感触が得られ、押圧感（コシ）、摩擦感があり、洗い心地がよい。
また、凹凸が多いので繰り返し左右に引っ張ることで摩擦効果を高め、泡立ちが増す。
【実施例】
【００１５】  市販の薄めのポリアミド繊維や薄めのポリアミド繊維に綿の混紡、薄めのポリアミドに絹の混紡、厚めのパイル織りなどのメッシュ地からなる編織物を使用して、前記の実施の形態に記載したフリル状の襞を形成して本発明のタオルを得た。このタオルを使用したところ、薄めのタオル地は、それぞれの布地の材質が活かされ、肌触りの感触が豊かに感じられ、押圧感（コシ）、繰り返し左右に引っ張ることで摩擦効果を高め、泡立ちが増し、洗い心地がよいことがわかった。厚めのパイル織りなどのメッシュ地からなる編織物のタオル地で作ったタオルと従来の多重の襞を形成したタオルと比較して、ギャザーをよせると凹凸が増えるので、泡立ちが増し、肌触りの感触がやわらかに感じられた。
【産業上の利用可能性】
【００１６】  本発明に係るタオルは、従来の浴用タオルなどに襞を設けるだけで簡単に製造できるので便利であり、ミシンを使用して量産可能であり、経済的で極めて有用である。
【図面の簡単な説明】
【００１７】
【図１】本発明の実施の形態に係る布地に襞を形成する例を示す説明図である。
【図２】本発明の実施の形態に係る布地に襞を形成する例を示す説明図である。
【図３】本発明の実施の形態に係る布地に襞を形成する例を示す説明図である。
【図４】本発明の実施の形態に係るタオルの斜視図である。
【図５】本発明の実施の形態に係る布地に襞を形成する例を示す説明図である。
【符号の説明】
【００１８】１：タオル、２，２ａ〜２ｂ：布地、３，３ａ〜３ｌ：折山、４：接ぎ目，ステッチ、４ａ〜４ｆ：ギャザー，ステッチ，縫い合わせる、５：襞、６：細めの帯状の布地，弾性体
【図１】
2012152528.tif 000003
【図２】
2012152528.tif 000004
2012152528.tif 000005
【図３】
2012152528.tif 000006
【図４】
2012152528.tif 000007
【図５】
2012152528.tif 000008